(57)【要約】【課題】容易に内容物を解放して取り出す。【解決手段】有底筒状の容器本体１１と、容器本体内に収容される内容物を覆う変形可能なシート体１２と、容器本体の上端開口およびシート体を覆う蓋体１３と、を備える蓋付き容器１であって、蓋体に、シート体に配設された被係止突片１５を係止する係止部１６が設けられ、蓋体は、容器本体に、上下方向から見た平面視において一方向である前後方向にスライド移動可能に配設され、蓋体が、容器本体に対して後方にスライド移動したときに、容器本体の上端開口が開放される。【選択図】図１
2019206349.tif 000002
【特許請求の範囲】
【請求項１】
有底筒状の容器本体と、前記容器本体内に収容される内容物を覆う変形可能なシート体と、前記容器本体の上端開口および前記シート体を覆う蓋体と、を備える蓋付き容器であって、
前記蓋体に、前記シート体に配設された被係止突片を係止する係止部が設けられ、
前記蓋体は、前記容器本体に、上下方向から見た平面視において一方向である前後方向にスライド移動可能に配設され、
前記蓋体が、前記容器本体に対して後方にスライド移動したときに、前記容器本体の上端開口が開放される蓋付き容器。
【請求項２】
前記蓋体に、前記係止部が配置された収容孔が形成され、
前記係止部は、前後方向に延びるヒンジ部を介して前記蓋体に連結され、
前記被係止突片は、前記係止部の後端部と、前記蓋体における前記収容孔の開口周縁部と、により上下方向に挟まれて固定される請求項１に記載の蓋付き容器。
【請求項３】
前記被係止突片のうち、前記係止部の後端部と、前記蓋体における前記収容孔の開口周縁部と、により上下方向に挟まれて固定された状態で、前記収容孔から上方に突出した部分の少なくとも一部は、前記収容孔の後端部と比べて、前記平面視において前後方向に直交する左右方向の大きさが大きい請求項２に記載の蓋付き容器。
【請求項４】
前記被係止突片は、前記シート体の前端部に配設されている請求項１から３のいずれか１項に記載の蓋付き容器。
【発明の詳細な説明】
【技術分野】
【０００１】
本発明は、蓋付き容器に関する。
【背景技術】
【０００２】
従来から、例えば下記特許文献１に示されるような、有底筒状の容器本体と、容器本体の上端開口を覆う蓋体と、を備える蓋付き容器が知られている。この種の蓋付き容器は一般に、容器本体内に収容される内容物を覆う変形可能なシート体を備える。シート体としては、例えば、開封後の内容物の劣化を抑えたり、容器本体内のシール性を確保したりするものなどが挙げられる。
【先行技術文献】
【特許文献】
【０００３】
【特許文献１】特開２０１７−８１６３４号公報
【発明の概要】
【発明が解決しようとする課題】
【０００４】
しかしながら、前記従来の蓋付き容器では、内容物を取り出すたびに、蓋体を開くだけでなく、シート体をめくって内容物を解放する必要があり、手間がかかるという問題があった。
【０００５】
そこで、本発明は、容易に内容物を解放して取り出すことができる蓋付き容器を提供することを目的とする。
【課題を解決するための手段】
【０００６】
本発明は、上記課題を解決するために以下のような手段を採用した。すなわち、本発明の蓋付き容器は、有底筒状の容器本体と、前記容器本体内に収容される内容物を覆う変形可能なシート体と、前記容器本体の上端開口および前記シート体を覆う蓋体と、を備える蓋付き容器であって、前記蓋体に、前記シート体に配設された被係止突片を係止する係止部が設けられ、前記蓋体は、前記容器本体に、上下方向から見た平面視において一方向である前後方向にスライド移動可能に配設され、前記蓋体が、前記容器本体に対して後方にスライド移動したときに、前記容器本体の上端開口が開放される。
【０００７】
本発明では、被係止突片を係止部に係止した状態で、蓋体を容器本体に対して後方にスライド移動させると、被係止突片が後方に移動するのに追従して、シート体が後方にめくれる。したがって、蓋体を開く操作によってシート体がめくれて内容物が解放されることとなり、容易に内容物を取り出すことができる。
【０００８】
ここで、前記蓋体に、前記係止部が配置された収容孔が形成され、前記係止部は、前後方向に延びるヒンジ部を介して前記蓋体に連結され、前記被係止突片は、前記係止部の後端部と、前記蓋体における前記収容孔の開口周縁部と、により上下方向に挟まれて固定されてもよい。
【０００９】
この場合、係止部が、蓋体がスライド移動する前後方向に延びるヒンジ部を介して蓋体に連結され、被係止突片が、係止部の後端部と、蓋体における収容孔の開口周縁部と、により上下方向に挟まれて固定されるので、被係止突片を、係止部の後端部と、蓋体における収容孔の開口周縁部と、により上下方向に挟んだ状態で、蓋体を後方に移動させたときに、係止部に前方に向けた力が加えられても、係止部が蓋体に対して前方に変位するのを抑制することが可能になり、被係止突片を蓋体に対して容易かつ確実に固定することができる。
【００１０】
また、前記被係止突片のうち、前記係止部の後端部と、前記蓋体における前記収容孔の開口周縁部と、により上下方向に挟まれて固定された状態で、前記収容孔から上方に突出した部分の少なくとも一部は、前記収容孔の後端部と比べて、前記平面視において前後方向に直交する左右方向の大きさが大きくてもよい。
【００１１】
この場合、被係止突片のうち、係止部の後端部と、蓋体における収容孔の開口周縁部と、により上下方向に挟まれて固定された状態で、収容孔から上方に突出した突出部分の少なくとも一部の左右方向の大きさが、収容孔の後端部の左右方向の大きさより大きいので、被係止突片を、係止部の後端部と、蓋体における収容孔の開口周縁部と、により上下方向に挟んだ状態で、蓋体を後方に移動させたときに、被係止突片に下方に向けて引き込む力が加えられても、被係止突片の突出部分が、蓋体の上面における収容孔の開口周縁部に係止されることとなり、被係止突片を蓋体により一層確実に固定することができる。
【００１２】
また、前記被係止突片は、前記シート体の前端部に配設されてもよい。
【００１３】
この場合、被係止突片が、シート体の前端部に配設されているので、蓋体を後方にスライド移動したときに、シート体を円滑にめくることができるとともに、蓋体を前方に復元移動したときに、シート体を全域にわたって元の状態になるように前方に向けて引き延ばすことが可能になり、内容物を全域にわたって覆うことができる。
【発明の効果】
【００１４】
この発明によれば、容易に内容物を解放して取り出すことができる。
【図面の簡単な説明】
【００１５】
【図１】本発明に係る第１実施形態として示した蓋付き容器の上面図である。
【図２】図１に示す蓋付き容器のＩＩ−ＩＩ線矢視断面図である。
【図３】図１に示す蓋付き容器のＩＩＩ矢視図である。
【図４】図２に示す蓋付き容器の拡大図であって、係止部に被係止突片を係止する方法を説明する説明図である。
【図５】図３に示す蓋付き容器において、係止部に被係止突片を係止する方法を説明する説明図である。
【図６】図２に示す蓋付き容器において、係止部に被係止突片を係止した状態を示す図である。
【図７】図６に示す蓋付き容器において、蓋体を後方にスライド移動させた状態を示す図である。
【図８】本発明に係る第２実施形態として示した蓋付き容器の上面図である。
【図９】図８に示す蓋付き容器のＩＸ矢視図である。
【発明を実施するための形態】
【００１６】
以下、図面を参照し、本発明の一実施形態に係る蓋付き容器を説明する。
本実施形態に係る蓋付き容器１は、図１から図３に示されるように、有底筒状の容器本体１１と、容器本体１１内に収容される内容物Ｗを覆う変形可能なシート体１２と、蓋体１３と、を備える。内容物Ｗとしては、例えばバター、マーガリン、クリームチーズおよびジャムなどの半固形物若しくは流動物などが挙げられる。
以下、容器本体１１の横断面の中央を通る直線を容器軸Ｏといい、容器軸Ｏに沿う方向を上下方向という。また、上下方向から見た平面視で、容器軸Ｏに交差する方向を径方向といい、容器軸Ｏ回りに周回する方向を周方向という。
【００１７】
容器本体１１は、前記平面視で長方形状を呈する。
以下、前記平面視で、この長方形状を画成する長辺部分が延びる方向を前後方向といい、短辺部分が延びる方向を左右方向という。なお、容器本体１１の前記平面視の形状を、円形状にするなど適宜変更してもよい。
容器本体１１の内側には、前記平面視における全域にわたって内容物Ｗが収容されている。
【００１８】
容器本体１１の上端部には、径方向の外側に向けて突出し、全周にわたって連続して延びるフランジ部１４が形成されている。フランジ部１４の上面は、容器本体１１の上端開口縁と面一になっている。フランジ部１４のうち、容器本体１１の前端部に位置して左右方向に延びる前端部１４ａは、他の部分より、容器本体１１から径方向の外側に大きく突出している。つまり、フランジ部１４のうち、前端部１４ａの幅は、他の部分の幅より広い。フランジ部１４の外周縁部は、径方向の外側に向かうに従い漸次、下方に向けて延びている。
容器本体１１は、例えば、熱成形（サーモフォーミング）などにより薄肉に形成されている。
【００１９】
シート体１２は、紙、若しくは樹脂フィルムなどからなり、例えば、開封後の内容物Ｗの劣化を抑えたり、容器本体１１内のシール性を確保したりする。シート体１２は、容器本体１１内の内容物Ｗ上に全域にわたって配置されている。シート体１２は、容器本体１１内の内容物Ｗに当接している。シート体１２は、容器本体１１の上端開口縁より下方に位置している。シート体１２は、前記平面視で前後方向に長い長方形状を呈する。
【００２０】
シート体１２に被係止突片１５が配設されている。被係止突片１５は、シート体１２の前端部に配設されている。被係止突片１５は、シート体１２の前端縁における左右方向の中央部に配設されている。被係止突片１５は、シート体１２と一体に形成されている。被係止突片１５は、シート体１２の上面側に、後方に向けて折り返されている。
【００２１】
被係止突片１５は、前記平面視で前後方向に長い長方形状を呈し、かつ前端縁がシート体１２の前端縁に連結された第１部分１５ａと、前記平面視で左右方向に長い長方形状を呈し、第１部分１５ａの後端縁に連結された第２部分１５ｂと、を備える。第１部分１５ａおよび第２部分１５ｂそれぞれの左右方向の中央部の位置は互いに一致している。第１部分１５ａの長さ（前後方向の大きさ）は、第２部分１５ｂの長さ（左右方向の大きさ）より長い。被係止突片１５は、前記平面視で横向きのＴ字状を呈する。被係止突片１５の前後方向の大きさは、シート体１２の前後方向の大きさの半分より小さい。
【００２２】
蓋体１３は、容器本体１１の上端開口およびシート体１２を覆う。蓋体１３は、容器本体１１に前後方向にスライド移動可能に配設され、蓋体１３が、容器本体１１に対して後方にスライド移動したときに、容器本体１１の上端開口が開放される。蓋体１３は、前記平面視で前後方向に長い長方形状を呈する天壁１３ａと、天壁１３ａの外周縁から下方に向けて延びる側壁１３ｂと、を備える。
【００２３】
側壁１３ｂは、天壁１３ａの外周縁のうち、左右方向に延びる前端縁を除く全周にわたって配設されている。側壁１３ｂの内周面は、全周にわたってフランジ部１４の外周縁部に当接している。フランジ部１４の前端部１４ａは、その後端部を除く全体が、蓋体１３より前方に突出している。側壁１３ｂの内周面には、フランジ部１４の外周縁部をフランジ部１４の下側から支持する支持突起１７が形成されている。支持突起１７は、側壁１３ｂの内周面における全周にわたって配置され連続して延びている。
【００２４】
天壁１３ａの下面は、容器本体１１の上端開口縁およびフランジ部１４の上面に、前後方向に摺動可能に当接している。
蓋体１３は、フランジ部１４のうち、左右方向の両端に位置して前後方向に延びる側端部１４ｂの外周縁部を、支持突起１７と天壁１３ａの下面とによって上下方向に挟んだ状態で前後方向にスライド移動する。
【００２５】
蓋体１３に、シート体１２に配設された被係止突片１５を係止する係止部１６が設けられている。蓋体１３に、係止部１６が配置された収容孔１８が形成されている。収容孔１８は、蓋体１３の天壁１３ａにおける左右方向の中央部に配置されている。収容孔１８は、蓋体１３の天壁１３ａの前端部に形成され、上下方向に貫くとともに、前方に向けて開口している。収容孔１８は、前記平面視で左右方向に長い長方形状を呈する。収容孔１８のうち、後端部１８ａは、後端部１８ａより前方に位置する本体部１８ｂと比べて、前後方向の大きさ、および左右方向の大きさが小さい。収容孔１８の後端部１８ａ、および収容孔１８の本体部１８ｂそれぞれの左右方向の中央部は、互いにほぼ一致している。
【００２６】
前記平面視において、収容孔１８および係止部１６は、互いに同じ形状で同じ大きさとなっている。係止部１６は、前後方向に延びるヒンジ部１９を介して蓋体１３に連結されている。ヒンジ部１９は、収容孔１８の内周面における左右方向の一端縁と、係止部１６における左右方向の一端縁と、を連結している。ヒンジ部１９は、蓋体１３の天壁１３ａより薄肉に形成されている。係止部１６のうち、収容孔１８の後端部１８ａに位置する後端部１６ａ、および収容孔１８の後端部１８ａは、フランジ部１４の前端部１４ａより後方に位置し、容器本体１１の上端開口と上下方向で対向している。なお、係止部１６のうち、後端部１６ａは、後端部１６ａより前方に位置する部分と比べて、前後方向の大きさ、および左右方向の大きさが小さい。
【００２７】
収容孔１８の後端部１８ａの左右方向の大きさは、被係止突片１５の第２部分１５ｂの左右方向の大きさより小さい。収容孔１８の後端部１８ａの左右方向の大きさは、被係止突片１５の第１部分１５ａの左右方向の大きさより大きい。被係止突片１５、収容孔１８、および係止部１６それぞれの左右方向の中央部は、互いにほぼ一致している。
【００２８】
被係止突片１５の第１部分１５ａの前端部と、収容孔１８および係止部１６の各後端部１８ａ、１６ａと、が上下方向で対向している。したがって、蓋体１３を後方にスライド移動させない状態で、係止部１６をヒンジ部１９回りに上方に向けて回転させ、収容孔１８を開放しても、被係止突片１５のうち、第１部分１５ａの前端部しか露呈しないので、被係止突片１５を、収容孔１８を通して引き上げることはできない。
【００２９】
次に、被係止突片１５を、係止部１６の後端部１６ａと、蓋体１３における収容孔１８の開口周縁部と、により上下方向に挟んで固定する方法について、図４および図５を参照しつつ説明する。
【００３０】
まず、蓋体１３を、その前端縁が、容器本体１１の上端開口縁よりわずかに後方に位置する程度まで後方にスライド移動させる。次に、係止部１６をヒンジ部１９回りに上方に向けて回転させ、収容孔１８を開放する。これにより、被係止突片１５が、収容孔１８を通して引き上げられることが可能な程度まで外部に露呈する。図示の例では、被係止突片１５の第１部分１５ａの大部分が外部に露呈する。
【００３１】
そして、被係止突片１５の第１部分１５ａをつまんで収容孔１８を通して天壁１３ａの上方に引き上げた後に、係止部１６を、ヒンジ部１９回りに下方に向けて回転させ元の位置に復帰させ、収容孔１８を閉塞する。この際、被係止突片１５の第２部分１５ｂが、収容孔１８から上方に突出した状態で、被係止突片１５の第１部分１５ａが、係止部１６の後端部１６ａと、蓋体１３における収容孔１８の開口周縁部と、により上下方向に挟まれて固定される。
次に、図６に示されるように、被係止突片１５における第１部分１５ａと第２部分１５ｂとの接続部分を前方に向けて折り曲げる。
【００３２】
以上説明したように、本実施形態による蓋付き容器１によれば、被係止突片１５を係止部１６に係止した状態で、蓋体１３を容器本体１１に対して後方にスライド移動させると、被係止突片１５が後方に移動するのに追従して、図７に示されるようにシート体１２が後方にめくれる。したがって、蓋体１３を開く操作によってシート体１２がめくれて内容物Ｗが解放されることとなり、容易に内容物Ｗを取り出すことができる。
【００３３】
また、係止部１６が、蓋体１３がスライド移動する前後方向に延びるヒンジ部１９を介して蓋体１３に連結され、被係止突片１５が、係止部１６の後端部１６ａと、蓋体１３における収容孔１８の開口周縁部と、により上下方向に挟まれて固定されるので、被係止突片１５を、係止部１６の後端部１６ａと、蓋体１３における収容孔１８の開口周縁部と、により上下方向に挟んだ状態で、蓋体１３を後方に移動させたときに、係止部１６に前方に向けた力が加えられても、係止部１６が蓋体１３に対して前方に変位するのを抑制することが可能になり、被係止突片１５を蓋体１３に対して容易かつ確実に固定することができる。
【００３４】
また、被係止突片１５のうち、係止部１６の後端部１６ａと、蓋体１３における収容孔１８の開口周縁部と、により上下方向に挟まれて固定された状態で、収容孔１８から上方に突出した第２部分１５ｂの左右方向の大きさが、収容孔１８の後端部１８ａの左右方向の大きさより大きいので、被係止突片１５を、係止部１６の後端部１６ａと、蓋体１３における収容孔１８の開口周縁部と、により上下方向に挟んだ状態で、蓋体１３を後方に移動させたときに、被係止突片１５に下方に向けて引き込む力が加えられても、被係止突片１５の第２部分１５ｂが、蓋体１３の上面における収容孔１８の開口周縁部に係止されることとなり、被係止突片１５を蓋体１３により一層確実に固定することができる。
【００３５】
また、被係止突片１５が、シート体１２の前端部に配設されているので、蓋体１３を後方にスライド移動したときに、シート体１２を円滑にめくることができるとともに、蓋体１３を前方に復元移動したときに、シート体１２を全域にわたって元の状態になるように前方に向けて引き延ばすことが可能になり、内容物Ｗを全域にわたって容易に覆うことができる。
【００３６】
次に、本発明に係る第２実施形態について説明するが、第１実施形態と基本的な構成は同様である。このため、同様の構成には同一の符号を付してその説明は省略し、異なる点についてのみ説明する。
【００３７】
図８および図９に示すように、本実施形態の蓋付き容器２では、蓋体２１の天壁２１ａが、容器本体１１の上端開口縁およびフランジ部１４の上面より上方に位置している。蓋体２１の側壁２１ｂには、支持突起１７の上方に配置され、フランジ部１４の外周縁部の上面に当接若しくは近接する受突起２２が形成されている。受突起２２は、側壁２１ｂのうち、左右方向の両端に位置して前後方向に延びる横壁２１ｃの内周面における前後方向の全長にわたって配置され連続して延びている。受突起２２は、支持突起１７より径方向の内側に向けて大きく突出している。
【００３８】
蓋体２１の天壁２１ａの下面に、内容物Ｗを掬い取る例えばナイフ若しくは匙などが収容される鞘体２３が配設されている。鞘体２３は、前後方向に延び、前方に向けて開口している。鞘体２３の前端縁は、蓋体２１の天壁２１ａの前端縁より後方に位置している。鞘体２３の後端縁は、側壁２１ｂのうち、後端に位置して左右方向に延びる後壁２１ｄに連結されている。鞘体２３は、前後方向から見て、左右方向に長い長方形状を呈する。この長方形状を画成する一対の長辺部分は左右方向に延び、一対の短辺部分は上下方向に延びている。鞘体２３は、フランジ部１４の側端部１４ｂより左右方向の内側に配設されている。
【００３９】
以上説明したように、本実施形態による蓋付き容器２によれば、蓋付き容器１により奏される作用効果に加えて、鞘体２３に、内容物Ｗを掬い取る例えばナイフ若しくは匙などを収容することが可能になり、取り扱い性を向上させることができる。
【００４０】
なお、本発明の技術範囲は、前述した実施形態に限定されるものではなく、本発明の趣旨を逸脱しない範囲において種々の変更を加えることが可能である。
【００４１】
例えば、前記実施形態では、シート体１２として、容器本体１１内の内容物Ｗに当接した構成を示したが、容器本体１１の上端開口縁、およびフランジ部１４のうちの少なくとも一方に当接した構成を採用してもよい。
また、容器本体１１と蓋体１３との間に、容器本体１１に対する蓋体１３の後方端位置を決める規制部を設けてもよい。
また、蓋体１３、２１に収容孔１８は形成しなくてもよい。
また、ヒンジ部１９は、前記平面視において、左右方向に延びてもよいし、左右方向および前後方向の双方向に交差する方向に延びてもよい。
また、前記実施形態では、収容孔１８の後端部１８ａの左右方向の大きさを、被係止突片１５の第１部分１５ａの左右方向の大きさより大きくしたが、収容孔１８の後端部１８ａの左右方向の大きさを、第１部分１５ａの左右方向の大きさより小さくしてもよい。この場合、被係止突片１５のうち、係止部１６の後端部１６ａと、蓋体１３における収容孔１８の開口周縁部と、により上下方向に挟まれて固定された状態で、収容孔１８から上方に突出した部分の全体の左右方向の大きさが、収容孔１８の後端部１８ａの左右方向の大きさより大きくなる。
また、収容孔１８の後端部１８ａの左右方向の大きさを、被係止突片１５の第２部分１５ｂの左右方向の大きさ以上としてもよい。
また、被係止突片１５は、シート体１２の前端部より後方に配設してもよい。
【００４２】
その他、本発明の趣旨を逸脱しない範囲で、前記実施形態における構成要素を周知の構成要素に置き換えることは適宜可能であり、また、前記変形例を適宜組み合わせてもよい。
【符号の説明】
【００４３】
１、２  蓋付き容器
１１  容器本体
１２  シート体
１３  蓋体
１５  被係止突片
１６  係止部
１８  収容孔
１９  ヒンジ部
Ｏ  容器軸
Ｗ  内容物
【図１】
2019206349.tif 000003
【図２】
2019206349.tif 000004
【図３】
2019206349.tif 000005
【図４】
2019206349.tif 000006
【図５】
2019206349.tif 000007
【図６】
2019206349.tif 000008
【図７】
2019206349.tif 000009
【図８】
2019206349.tif 000010
【図９】
2019206349.tif 000011